(57)【要約】      （修正有）【課題】機能が多様で、使用のニーズを満たし、多くの利便性を有するジッタースクレイピング及びフットマッサージ用フットマシンを提供する。【解決手段】ケース１０、ノッキングフットパッド２０、ノッキングシート３０、ブッシュロッドマッサージシート４０、マッサージローラー５０及び駆動機構６０を備え、該ケース内に、取付室１０１と、足を伸ばすための収納室１０２とを有し、該ノッキングフットパッドは足を可動に叩くように収納室内に設置され、ノッキングフットパッドに取り付けスルースロット２１が設置され、該ブッシュロッドマッサージシートは取り付けスルースロット内に往復運動可能に設置されて位置し、該マッサージローラーは取り付けスルースロット内に回転可能に設置されて位置し、マッサージローラーはブッシュロッドマッサージシートを往復運動させ、該駆動機構は取付室内に設置され、ノッキングシートを動かし且つマッサージローラーを回転させる。【選択図】図１
0003225054.tif 000002
【実用新案登録請求の範囲】
【請求項１】
ジッタースクレイピング及びフットマッサージ用フットマシンであって、ケース、ノッキングフットパッド、ノッキングシート、ブッシュロッドマッサージシート、マッサージローラー及び駆動機構を備え、該ケース内に、取付室と、足を伸ばすための収納室とを有し、該ノッキングフットパッドは足を可動に叩くように収納室内に設置され、ノッキングフットパッドに取り付けスルースロットが設置され、該ノッキングシートはノッキングフットパッドの底部に設置されて且つ取付室内に位置し、ノッキングシートによってノッキングフットパッドを動かし、該ブッシュロッドマッサージシートは取り付けスルースロット内に往復運動可能に設置されて位置し、該マッサージローラーは取り付けスルースロット内に回転可能に設置されて位置し、マッサージローラーはブッシュロッドマッサージシートを往復運動させ、該駆動機構は取付室内に設置され、ノッキングシートを動かし且つマッサージローラーを回転させることを特徴とするジッタースクレイピング及びフットマッサージ用フットマシン。
【請求項２】
前記収納室は左右の２つであり、各収納室内にいずれも前記ノッキングフットパッド、前記ノッキングシート、前記ブッシュロッドマッサージシート及び前記マッサージローラーが設置されることを特徴とする請求項１に記載のジッタースクレイピング及びフットマッサージ用フットマシン。
【請求項３】
前記駆動機構はマッサージシャフト、ノッキングシャフト及びモーターを備え、該マッサージシャフトとノッキングシャフトは取付室内に回転可能に設置され、マッサージシャフトとノッキングシャフトとは互いに平行であり、前記２つのマッサージローラーはマッサージシャフトの両端に取り付けられ、マッサージシャフトに第１歯車が固定され、該ノッキングシャフトの両端にいずれも偏心ホイールが固定され、各偏心ホイールにいずれもベアリングブロックが套設され、各ベアリングブロックは対応するノッキングシートにそれぞれ接続され、該ノッキングシャフトに第２歯車と第１プーリーが取り付けられ、該第２歯車は第１歯車と噛み合い、該モーターの出力軸に第２プーリーが取り付けられ、該第２プーリーと第１プーリーとの間に駆動ベルトが接続されることを特徴とする請求項２に記載のジッタースクレイピング及びフットマッサージ用フットマシン。
【請求項４】
前記マッサージローラーはインナーハーフホイールとアウターハーフホイールを備え、該アウターハーフホイールはインナーハーフホイールの外側に取り付けられ、インナーハーフホイールの外側に偏心部が突設され、該ブッシュロッドマッサージシートの末端は偏心部に回転可能に套設されることを特徴とする請求項１に記載のジッタースクレイピング及びフットマッサージ用フットマシン。
【請求項５】
前記取付室内にエアポンプが設置され、該エアポンプの排気孔は収納室に連通することを特徴とする請求項１に記載のジッタースクレイピング及びフットマッサージ用フットマシン。
【請求項６】
前記ケースは下部ケース、布スリーブプレスプレート、ＰＰボード及び上部ケースを備え、該下部ケース、布スリーブプレスプレート、ＰＰボード及び上部ケースが下から上へ順に積層固定されることを特徴とする請求項１に記載のジッタースクレイピング及びフットマッサージ用フットマシン。
【考案の詳細な説明】
【技術分野】
【０００１】
本考案はマッサージ機器の技術分野に関し、特にジッタースクレイピング及びフットマッサージ用フットマシンに関する。
【背景技術】
【０００２】
フットマッサージャーのユニークな形状設計とツボの分布は、人間の足の構造に完全に適合し、ユニークなインテリジェントマシンは、４つの足反射ゾーンと６つの足底反射ゾーンに対応するようにインテリジェントマッサージを行い、足のツボを刺激して経絡、気の流れ、血の流れを良くし、体の内臓器官の機能を十分に調整する。
【０００３】
従来のフットマッサージャーは、一般的にローリングマッサージ機能のみを持ち、機能が単一であり、使用のニーズを満たすことができない。従って、従来のフットマッサージャーを改善する必要がある。
【考案の概要】
【考案が解決しようとする課題】
【０００４】
これに鑑みて、本考案は従来技術に存在している欠陥に対して、ジッタースクレイピング及びフットマッサージ用フットマシンを提供することを主な目的とし、従来のフットマッサージャーがローリングマッサージ機能のみを持って機能が単一になるという問題を効果的に解決することができる。
【課題を解決するための手段】
【０００５】
上記の目的を達成するために、本考案は以下のような技術的解決手段を採用する。
【０００６】
ジッタースクレイピング及びフットマッサージ用フットマシンであって、ケース、ノッキングフットパッド、ノッキングシート、ブッシュロッドマッサージシート、マッサージローラー及び駆動機構を備え、該ケース内に、取付室と、足を伸ばすための収納室とを有し、該ノッキングフットパッドは足を可動に叩くように収納室内に設置され、ノッキングフットパッドに取り付けスルースロットが設置され、該ノッキングシートはノッキングフットパッドの底部に設置されて且つ取付室内に位置し、ノッキングシートによってノッキングフットパッドを動かし、該ブッシュロッドマッサージシートは取り付けスルースロット内に往復運動可能に設置されて位置し、該マッサージローラーは取り付けスルースロット内に回転可能に設置されて位置し、マッサージローラーはブッシュロッドマッサージシートを往復運動させ、該駆動機構は取付室内に設置され、ノッキングシートを動かし且つマッサージローラーを回転させる。
【０００７】
好ましくは、前記収納室は左右の２つであり、各収納室内にいずれも前記ノッキングフットパッド、前記ノッキングシート、前記ブッシュロッドマッサージシート及び前記マッサージローラーが設置される。
【０００８】
好ましくは、前記駆動機構はマッサージシャフト、ノッキングシャフト及びモーターを備え、該マッサージシャフトとノッキングシャフトは取付室内に回転可能に設置され、マッサージシャフトとノッキングシャフトとは互いに平行であり、前記２つのマッサージローラーはマッサージシャフトの両端に取り付けられ、マッサージシャフトに第１歯車が固定され、該ノッキングシャフトの両端にいずれも偏心ホイールが固定され、各偏心ホイールにいずれもベアリングブロックが套設され、各ベアリングブロックは対応するノッキングシートにそれぞれ接続され、該ノッキングシャフトに第２歯車と第１プーリーが取り付けられ、該第２歯車は第１歯車と噛み合い、該モーターの出力軸に第２プーリーが取り付けられ、該第２プーリーと第１プーリーとの間に駆動ベルトが接続される。
【０００９】
好ましくは、前記マッサージローラーはインナーハーフホイールとアウターハーフホイールを備え、該アウターハーフホイールはインナーハーフホイールの外側に取り付けられ、インナーハーフホイールの外側に偏心部が突設され、該ブッシュロッドマッサージシートの末端は偏心部に回転可能に套設される。
【００１０】
好ましくは、前記取付室内にエアポンプが設置され、該エアポンプの排気孔は収納室に連通する。
【００１１】
好ましくは、前記ケースは下部ケース、布スリーブプレスプレート、ＰＰボード及び上部ケースを備え、該下部ケース、布スリーブプレスプレート、ＰＰボード及び上部ケースは下から上へ順に積層固定される。
【考案の効果】
【００１２】
本考案は従来技術と比較して顕著な利点と有益な効果を有し、具体的には、上記の技術的解決手段から分かるように、
ノッキングフットパッド、ノッキングシート、ブッシュロッドマッサージシート、マッサージローラー及び駆動機構を合わせて設置することによって、本製品はビートマッサージ、ローリングマッサージ及びスクレイピングマッサージの機能を同時に備え、機能が多様であり、使用のニーズを満たし、フットケアのためにより多くの利便性を提供する。
【００１３】
本考案の構造特徴と効果をより明らかに説明するために、以下、図面と具体的な実施例を参照して本考案を詳細に説明する。
【図面の簡単な説明】
【００１４】
【図１】本考案の好ましい実施例の分解図である。
【考案を実施するための形態】
【００１５】
図１を参照されたい。図1は本考案によるジッタースクレイピング及びフットマッサージ用フットマシンの好ましい実施例の具体的な構造を示し、前記構造は、ケース１０、ノッキングフットパッド２０、ノッキングシート３０、ブッシュロッドマッサージシート４０、マッサージローラー５０及び駆動機構６０を備える。
【００１６】
該ケース１０内に、取付室１０１と、足を伸ばすための収納室１０２とを有し、前記ケース１０は下部ケース１１、布スリーブプレスプレート１２、ＰＰボード１３及び上部ケース１４を備え、該下部ケース１１、布スリーブプレスプレート１２、ＰＰボード１３及び上部ケース１４が下から上へ順に積層固定される。
【００１７】
該ノッキングフットパッド２０は運動可能に足を叩くように収納室１０２内に設置され、ノッキングフットパッド２０に取り付けスルースロット２１が設置される。
【００１８】
該ノッキングシート３０はノッキングフットパッド２０の底部に設置されて且つ取付室１０１内に位置し、ノッキングシート３０はノッキングフットパッド２０を動かす。
【００１９】
該ブッシュロッドマッサージシート４０は取り付けスルースロット２１内に往復運動可能に設置されて位置し、該マッサージローラー５０は取り付けスルースロット２１内に回転可能に設置されて位置し、マッサージローラー５０はブッシュロッドマッサージシート４０を往復運動させる。本実施例において、前記マッサージローラー５０はインナーハーフホイール５１とアウターハーフホイール５２を備え、該アウターハーフホイール５２はインナーハーフホイール５１の外側に取り付けられ、インナーハーフホイール５１の外側に偏心部５０１が突設され、該ブッシュロッドマッサージシート４０の末端は偏心部５０１に回転可能に套設される。
【００２０】
該駆動機構６０は取付室１０１内に設置され、ノッキングシート３０を動かし且つマッサージローラー５０を回転させる。前記収納室１０２は左右の２つであり、各収納室１０２内にいずれも前記ノッキングフットパッド２０、前記ノッキングシート３０、前記ブッシュロッドマッサージシート４０及び前記マッサージローラー５０が設置される。具体的には、前記駆動機構６０はマッサージシャフト６１、ノッキングシャフト６２及びモーター６３を備え、該マッサージシャフト６１とノッキングシャフト６２は取付室１０１内に回転可能に設置され、マッサージシャフト６１とノッキングシャフト６２とは互いに平行であり、前記２つのマッサージローラー５０はマッサージシャフト６１の両端に取り付けられ、マッサージシャフト６１に第１歯車６４が固定され、該ノッキングシャフト６２の両端にいずれも偏心ホイール６５が固定され、各偏心ホイール６５にいずれもベアリングブロック６６が套設され、各ベアリングブロック６６は対応するノッキングシート３０にそれぞれ接続され、該ノッキングシャフト６２に第２歯車６７と第１プーリー６８が取り付けられ、該第２歯車６７は第１歯車６４と噛み合い、該モーター６３の出力軸に第２プーリー６９が取り付けられ、該第２プーリー６９と第１プーリー６８との間に駆動ベルト６０１が接続される。
【００２１】
また、前記取付室１０１内にエアポンプ７０がさらに設置され、該エアポンプ７０の排気孔は収納室１０２に連通し、エアバッグ加圧機能を実現するようにし、加熱機能を実現するように、加熱装置（図示せず）を有してもよい。
【００２２】
本実施例の作業原理を以下のように詳細に説明する。
本製品は、ビートマッサージ、ローリングマッサージ及びスクレイピングマッサージの機能を備え、具体的には、
ビートマッサージ機能については、機器がオンになった後、該モーター６３が回転して第２プーリー６９を駆動し、駆動ベルト６０１によって第１プーリー６８に伝動され連動し、第１プーリー６８が回転してノッキングシャフト６２を回転させ、偏心ホイール６５はノッキングシャフト６２の回転に伴ってベアリングブロック６６を駆動し、ベアリングブロック６６はノッキングシート３０を駆動し、ノッキングシート３０はノッキングフットパッド２０を駆動し、ノッキングフットパッド２０に置かれた足は震えているように感じ、それにより、足へのビートマッサージを実現する。
【００２３】
ローリングマッサージ機能については、ノッキングフットパッド２０は回転過程において、第２歯車６７と第１歯車６４との噛み合い伝動によって、マッサージシャフト６１を回転させ、マッサージシャフト６１の回転によってマッサージローラー５０を回転させ、ノッキングフットパッド２０に置かれた足をローリングマッサージするようにする。
【００２４】
スクレイピングマッサージ機能については、ローリングマッサージを実現した後に、ローリングマッサージと同時に、マッサージローラー５０はブッシュロッドマッサージシート４０を往復運動させ、ノッキングフットパッド２０に置かれた足に対してブッシュロッドマッサージを実行し、それにより、スクレイピングマッサージ機能を実現する。
【００２５】
本考案の設計の焦点は、ノッキングフットパッド、ノッキングシート、ブッシュロッドマッサージシート、マッサージローラー及び駆動機構を合わせて設置することによって、本製品はビートマッサージ、ローリングマッサージ及びスクレイピングマッサージの機能を同時に備え、機能が多様であり、使用のニーズを満たし、フットケアのためにより多くの利便性を提供する。
【００２６】
具体的な実施例を参照して本考案の技術的原理を以上のように説明した。これらの説明は本考案の原理を解釈するためのものだけであり、本考案の保護範囲を制限するものとして解釈することはできない。ここの解釈に基づいて、当業者は創造的な労力を必要とすることなく本考案のその他の具体的な実施形態を考えることができ、これらの形態はすべて本実用新案登録の保護範囲に属する。
【符号の説明】
【００２７】
１０、ケース
１１、下部ケース
１２、布スリーブプレスプレート
１３、ＰＰボード
１４、上部ケース
１０１、取付室
１０２、収納室
２０、ノッキングフットパッド
２１、取り付けスルースロット
３０、ノッキングシート
４０、ブッシュロッドマッサージシート
５０、マッサージローラー
５１、インナーハーフホイール
５２、アウターハーフホイール
５０１、偏心部
６０、駆動機構
６１、マッサージシャフト
６２、ノッキングシャフト
６３、モーター
６４、第１歯車
６５、偏心ホイール
６６、ベアリングブロック
６７、第２歯車
６８、第１プーリー
６９、第２プーリー
６０１、駆動ベルト
７０、エアポンプ
【図１】
0003225054.tif 000003